(57)【特許請求の範囲】
【請求項１】
２つの壁板がそれぞれ前部および後部に設けられた基部と、
該基部にプラットフォーム移動機構部を介してスライド可能に連結された感光プラットフォームと、
光源装置と、該光源装置の下側に設けられ、コンピュータに接続するＬＣＤ表示装置と、該ＬＣＤ表示装置の下側に設けられたレンズとを備え、上記壁板上に、かつ、感光プラットフォームの上方に設けられた露光用ヘッドと、
上記壁板に横方向移動機構部を介して連結された、上記露光用ヘッドを移動させるための縦方向移動機構部と、
上記感光プラットフォームに取り付けられた、感光材およびグレーティングを圧縮するための押圧部と、
上記感光プラットフォームの第１の側に取り付けられた、用紙を感光プラットフォームに供給するための給紙部と、
上記感光プラットフォームの第２の側に取り付けられた排紙機構部とを備え、
上記感光材の、露光用ヘッドによって感光させることが必要な領域への投影を実行するステップＳ３と、
上記縦方向移動機構部および横方向移動機構部によって、上記露光用ヘッドを、感光材を感光させることが必要な次の領域に移動させるステップＳ４と、
視点が同じ画像をすべて感光材に投影し終わるまで、ステップＳ３およびステップＳ４の処理を繰り返すステップＳ５と、
すべての異なる視点の画像を感光材に投影し終わるまで、視点が異なる画像に切り替えて、ステップＳ３からステップＳ５の処理を繰り返すステップＳ６と、をコンピュータ制御により自動的に実行することを特徴とする、デジタル式立体合成写真投影像形成のための感光装置。
【請求項２】
上記ＬＣＤ表示装置の表示面は、鉛直な基板に水平に取り付けられた固定用ボードに、下側を向くように埋め込まれ、
上記光源装置が固定用ボードに取り付けられ、
上記ＬＣＤ表示装置の下側に位置するレンズは、上記基板にスライド装置を介してスライド可能に、かつ、水平に取り付けられたレンズ固定用ボードに埋め込まれていることを特徴とする、請求項１に記載のデジタル式立体合成写真投影像形成のための感光装置。
【請求項３】
上記縦方向移動機構部が、露光用ヘッドに連結され、上記壁板上に位置する梁部を備え、
ガイドネジが該梁部に水平に取り付けられ、該ガイドネジの一端部が電気モータの出力端部に連結され、
上記ガイドネジに適合するスライドブロックが露光用ヘッドに取り付けられていることを特徴とする、請求項１に記載のデジタル式立体合成写真投影像形成のための感光装置。
【請求項４】
上記横方向移動機構部が上記壁板に対称に設けられた１対の別のガイドネジを備え、
上記梁部が、上記１対のガイドネジに適合するスライドブロックを介して壁板にスライド可能に取り付けられていることを特徴とする、請求項３に記載のデジタル式立体合成写真投影像形成のための感光装置。
【請求項５】
上記押圧部が排気装置を備えた吸引装置を備え、
上記感光プラットフォームが筐体状構造物であり、
上記感光プラットフォームの上面に複数の吸引孔が設けられ、
上記感光プラットフォームの側部に少なくとも１つの排気口が設けられて、該少なくとも１つの排気口が上記排気装置に連結されていることを特徴とする、請求項１に記載のデジタル式立体合成写真投影像形成のための感光装置。
【請求項６】
上記押圧部が、上記感光プラットフォームの上面の２つの側部に取り付けられ、それぞれ少なくとも１つのバネ装置を介して感光プラットフォームに連結されている少なくとも２つの圧縮部材を備えた上側圧縮機構部を備えていることを特徴とする、請求項５に記載のデジタル式立体合成写真投影像形成のための感光装置。
【請求項７】
２つの壁板がそれぞれ前部および後部に設けられた基部と、
該基部にプラットフォーム移動機構部を介してスライド可能に連結された感光プラットフォームと、
光源装置と、該光源装置の下側に設けられ、コンピュータに接続するＬＣＤ表示装置と、該ＬＣＤ表示装置の下側に設けられたレンズとを備え、上記壁板上に、かつ、感光プラットフォームの上方に設けられた露光用ヘッドと、
上記壁板に横方向移動機構部を介して連結された、上記露光用ヘッドを移動させるための縦方向移動機構部と、
上記感光プラットフォームに取り付けられた、感光材およびグレーティングを圧縮するための押圧部と、
上記感光プラットフォームの第１の側に取り付けられた、用紙を感光プラットフォームに供給するための給紙部と、
上記感光プラットフォームの第２の側に取り付けられた排紙機構部とを備え、
上記押圧部が排気装置を備えた吸引装置を備え、
上記感光プラットフォームが筐体状構造物であり、
上記感光プラットフォームの上面に複数の吸引孔が設けられ、
上記感光プラットフォームの側部に少なくとも１つの排気口が設けられて、該少なくとも１つの排気口が上記排気装置に連結されており、
上記押圧部が、上記露光用ヘッドの下側に、かつ、上記感光プラットフォームの中心に位置する、上記グレーティングおよび感光材を頂部から底部へ圧縮するための補助上側圧縮機構部をさらに備えていることを特徴とするデジタル式立体合成写真投影像形成のための感光装置。
【請求項８】
上記給紙部の出口に用紙カッターが設けられていることを特徴とする、請求項１に記載のデジタル式立体合成写真投影像形成のための感光装置。
【請求項９】
上記排紙機構部が、
供給ベルトに連結された複数の第１の供給ローラを備え、上記感光プラットフォームの側部に位置する、上記感光材を裏返すための第１の供給機構部であって、上記第１の供給ローラの軸の方向が感光材の供給方向に対して垂直であって、第１の供給ローラが電気モータに連結されている、第１の供給機構部と、
上記第１の供給ローラに平行であり、かつ、供給ベルトに連結された複数の第２の供給ローラを備え、上記第１の供給機構部の第１の端部に隣接し、上記感光プラットフォームの下側に位置する第２の供給機構部と、
上記第１の供給ローラに平行であり、かつ、供給ベルトに連結された複数の第３の供給ローラを備え、上記第１の供給機構部の第２の端部に隣接する第３の供給機構部とを備えていることを特徴とする、請求項１に記載のデジタル式立体合成写真投影像形成のための感光装置。
【請求項１０】
上記プラットフォーム移動機構部が、
電気モータの出力端部に連結された１つの端部を有する上記基部に縦方向に取り付けられたガイドネジと、
上記感光プラットフォームの底部に取り付けられ、上記ガイドネジに適合するスライドブロックとを備えていることを特徴とする、請求項１に記載のデジタル式立体合成写真投影像形成のための感光装置。
【請求項１１】
上記感光材を感光プラットフォームに供給するステップＳ１と、
上記グレーティングおよび感光材を、感光プラットフォーム上で押圧部によって圧縮するステップＳ２と、
上記感光材の、露光用ヘッドによって感光されることが必要な領域への投影を実行するステップＳ３と、
上記縦方向移動機構部および横方向移動機構部によって、上記露光用ヘッドを、感光材の感光されることが必要な次の領域に移動させるステップＳ４と、
視点が同じ画像をすべて感光材に投影し終わるまで、ステップＳ３およびステップＳ４の処理を繰り返すステップＳ５と、
すべての異なる視点の画像を感光材に投影し終わるまで、視点が異なる画像に切り替えて、ステップＳ３からステップＳ５の処理を繰り返すステップＳ６と、
上記押圧部を解放し、排紙機構部を作動させて、感光材を自動的に出力するステップＳ７とを含むことを特徴とする、請求項１に記載のデジタル式立体合成写真投影像形成のための感光装置のためのデジタル式立体合成写真投影像形成方法。
【請求項１２】
ステップＳ６が、
カメラで撮影した視点が異なる次の画像に、コンピュータによって切り替えるステップと、
上記レンズを前の位置から水平レベルにおいてある距離だけ移動させるステップと、
上記感光材上で増感されることが必要な領域がレンズから照射された光によって再度カバーされるまで、上記感光プラットフォームを、レンズの移動方向に同期して移動させるステップとを含むことを特徴とする、請求項１１に記載のデジタル式立体合成写真投影像形成方法。
【請求項１３】
上記レンズの移動方向が、前回の投影処理のための写真を撮影する際のカメラに対して、現在の投影処理のための写真を撮影する際のカメラが、撮影対象の周囲を回転する方向であることを特徴とする、請求項１２に記載のデジタル式立体合成写真投影像形成方法。
【請求項１４】
ステップＳ７において、感光材を出力するステップが、感光材を排紙機構部によって裏返すステップを含んでいることを特徴とする、請求項１１に記載のデジタル式立体合成写真投影像形成方法。
【発明の詳細な説明】
【技術分野】
【０００１】
本発明は、デジタル式立体合成写真投影像形成のための感光装置、および、その操作方法に関する。
【０００２】
〔関連技術の説明〕
ハロゲン化銀製媒体を用いて市場において立体写真を形成する本方法は、依然、何年も前の古い方法である。この方法では、グレーティング（grating）と感光材とを組み合わせた後に画像を感光性フィルム上に投影し、次に現像して立体写真を得る。ただし、この方法には２つの短所がある。一つめの短所は、感光性フィルムを画像のキャリアとして使用しているが、感光性フィルムはほとんど利用されなくなっており、したがって、国内では供給が皆無であり輸入に頼らざるを得ないことである。二つめの短所は、投影、増感、および、現像を行う前に感光材をグレーティングと組み合わせなければならず、グレーティング材は、現像のために折り畳むには厚すぎる。これに対応して、現像ができるように１０ｍを超える長さの大平面を有する現像装置が生産されたが、この現像装置では現像に不便が多く、強制的に上向きに噴霧および洗浄するために多量の洗浄用ローションを消費し、ローションおよび時間を消費し、広いスペースを必要とし、環境を汚染し、操作が複雑であり、良品率が低く、望ましい効果が得られないことがある。また、前もって組み合わせるグレーティングおよび感光材は、その間に両面膜層（double-faced film layer）を挟持しているので、投影および増感における透過性が低下して、立体写真の縮少（contract）および透過効果に影響を及ぼす。さらに、材料が非常に高価であり、したがって、立体写真の市場を普及拡させるにはコストが高い。
【発明の概要】
【発明が解決しようとする課題】
【０００３】
本発明が解決する技術的課題の１つは、先行技術における短所を解消すること、および、デジタル式立体合成写真投影像形成のための感光装置とその操作方法とを提供することである。
【課題を解決するための手段】
【０００４】
上述の技術的課題を解決するために、本発明は、２つの壁板がそれぞれ前部および後部に設けられた基部と、該基部にプラットフォーム移動機構部を介してスライド可能に連結された感光プラットフォームと、光源装置と、該光源装置の下側に設けられ、コンピュータに接続するＬＣＤ表示装置と、該ＬＣＤ表示装置の下側に設けられたレンズとを備え、上記壁板上に、かつ、感光プラットフォームの上方に設けられた露光用ヘッドと、上記壁板に横方向移動機構部を介して連結された、上記露光用ヘッドを移動させるための縦方向移動機構部と、上記感光プラットフォームに取り付けられた、感光材およびグレーティングを圧縮するための押圧部と、上記感光プラットフォームの第１の側に取り付けられた、用紙を感光プラットフォームに供給するための給紙部と、上記感光プラットフォームの第２の側に取り付けられた排紙機構部とを備えていることを特徴とする、デジタル式立体合成写真投影像形成のための感光装置を提供する。
【０００５】
好ましくは、上記ＬＣＤ表示装置の表示面は、鉛直な基板に水平に取り付けられた固定用ボードに、下側を向くように埋め込まれ、上記光源装置が固定用ボードに取り付けられ、上記ＬＣＤ表示装置の下側に位置するレンズは、上記基板にスライド装置を介してスライド可能に、かつ、水平に取り付けられたレンズ固定用ボードに埋め込まれている。
【０００６】
好ましくは、上記縦方向移動機構部が、露光用ヘッドに連結され、上記壁板上に位置する梁部を備え、ガイドネジが該梁部に水平に取り付けられ、該ガイドネジの一端部が電気モータの出力端部に連結され、上記ガイドネジに適合するスライドブロックが露光用ヘッドに取り付けられている。
【０００７】
好ましくは、上記横方向移動機構部が上記壁板に対称に設けられた１対の別のガイドネジを備え、上記梁部が、上記１対のガイドネジに適合するスライドブロックを介して壁板にスライド可能に取り付けられている。
【０００８】
好ましくは、上記レンズ固定用ボードの、スライドブロックとは反対側に、少なくとも１つの突起部が取り付けられ、上記突起部に適合する鉛直レールが上記スライドブロックに設けられている。
【０００９】
好ましくは、上記押圧部が排気装置を備えた吸引装置を備え、上記感光プラットフォームが筐体状構造物であり、上記感光プラットフォームの上面に複数の吸引孔が設けられ、上記感光プラットフォームの側部に少なくとも１つの排気口が設けられて、該少なくとも１つの排気口が上記排気装置に連結されている。
【００１０】
好ましくは、上記押圧部が、上記感光プラットフォームの上面の２つの側部に取り付けられ、それぞれ少なくとも１つのバネ装置を介して感光プラットフォームに連結されている少なくとも２つの圧縮部材を備えた上側圧縮機構部を備えている。
【００１１】
好ましくは、上記押圧部が、上記露光用ヘッドの下側に、かつ、上記感光プラットフォームの中心に位置する、上記グレーティングおよび感光材を頂部から底部へ圧縮するための補助上側圧縮機構部をさらに備えている。
【００１２】
好ましくは、上記給紙部の出口に用紙カッターが設けられている。
【００１３】
好ましくは、上記排紙機構部が、供給ベルトに連結された複数の第１の供給ローラを備え、上記感光プラットフォームの側部に位置する、上記感光材を裏返すための第１の供給機構部であって、上記第１の供給ローラの軸の方向が感光材の供給方向に対して垂直であって、第１の供給ローラが電気モータに連結されている、第１の供給機構部と、上記第１の供給ローラに平行であり、かつ、供給ベルトに連結された複数の第２の供給ローラを備え、上記第１の供給機構部の第１の端部に隣接し、上記感光プラットフォームの下側に位置する第２の供給機構部と、上記第１の供給ローラに平行であり、かつ、供給ベルトに連結された複数の第３の供給ローラを備え、上記第１の供給機構部の第２の端部に隣接する第３の供給機構部とを備えている。
【００１４】
好ましくは、上記プラットフォーム移動機構部が、電気モータの出力端部に連結された１つの端部を有する上記基部に縦方向に取り付けられたガイドネジと、上記感光プラットフォームの底部に取り付けられ、上記ガイドネジに適合するスライドブロックとを備えている。
【００１５】
本発明は、上記感光材を感光プラットフォームに供給するステップＳ１と、上記グレーティングおよび感光材を、感光プラットフォーム上で押圧部によって圧縮するステップＳ２と、上記感光材の、露光用ヘッドによって感光されることが必要な領域への投影を実行するステップＳ３と、上記縦方向移動機構部および横方向移動機構部によって、上記露光用ヘッドを、感光材の感光されることが必要な次の領域に移動させるステップＳ４と、視点が同じ画像をすべて感光材に投影し終わるまで、ステップＳ３およびステップＳ４を繰り返すステップＳ５と、すべての異なる視点の画像を感光材に投影し終わるまで、視点が異なる画像に切り替えて、ステップＳ３およびステップＳ５を繰り返すステップＳ６と、上記押圧部を解放し、排紙機構部を作動させて、感光材を自動的に出力するステップＳ７とを含むことを特徴とする、デジタル式立体合成写真投影像形成のための感光装置のためのデジタル式立体合成写真投影像形成方法をさらに提供する。
【００１６】
好ましくは、ステップＳ６が、カメラで撮影した視点が異なる次の画像に、コンピュータによって切り替えるステップと、上記レンズを前の位置から水平レベルにおいてある距離だけ移動させるステップと、上記感光材上で増感されることが必要な領域がレンズから照射された光によって再度カバーされるまで、上記感光プラットフォームを、レンズの移動方向に同期して移動させるステップとを含む。
【００１７】
好ましくは、上記レンズの移動方向が、前回の投影処理のための写真を撮影する際のカメラに対して、現在の投影処理のための写真を撮影する際のカメラが、撮影対象の周囲を回転する方向である。
【００１８】
好ましくは、ステップＳ７において、感光材を出力するステップが、感光材を排紙機構部によって裏返すステップを含んでいる。
【発明の効果】
【００１９】
本発明の有益な効果を以下に記す。本発明によって、デジタル式立体像形成法の高画素化および高絵素化が達成される。また、本発明は、すべて自動運転が可能であり、使いやすく、精度が高い。また、現像装置は、投影および感光を終えると、自動的に現像および乾燥を行う。
【図面の簡単な説明】
【００２０】
【図１】図１は、本発明の好適な実施形態に係る、デジタル式立体合成写真投影像形成のための感光装置の、前部壁板を取り外した斜視図である。
【図２】図２は、本発明の上記の好適な実施形態に係る、デジタル式立体合成写真投影像形成のための感光装置の、後部壁板を取り外した斜視図である。
【図３】図３は、本発明の上記の好適な実施形態に係る、デジタル式立体合成写真投影像形成のための感光装置の、前部壁板を取り外した正面図である。
【図４】図４は、本発明の上記の好適な実施形態に係る、デジタル式立体合成写真投影像形成のための感光装置の上面図である。
【図５】図５は、図４に基づいて感光されることが必要な９つの領域に分割された、感光プラットフォームの概略図である。
【発明を実施するための形態】
【００２１】
〔好適な実施形態の詳細な説明〕
本発明の好適な実施形態について、添付の図面を参照しながら説明する。
【００２２】
図１〜図４に示すように、本発明に係るデジタル式立体合成写真投影像形成のための感光装置は、基部１６、ならびに、それぞれ基部１６の前部および後部に取り付けられた前部壁板４３および後部壁板２５を備えている。固定式感光プラットフォーム２４が、２つのスペーサ２７を介して前部壁板４３と後部壁板２５との間に取り付けられている。感光プラットフォーム２４は、プラットフォーム移動機構部を介して基部１６にスライド可能に取り付けられている。この好適な実施形態におけるプラットフォーム移動機構部は、感光プラットフォーム２４の底部に固定して取り付けられたスライドブロックを備えている。このスライドブロックは、基部１６のガイドネジ１７に適合するように構成されている。ガイドネジ１７は、電気モータ３２の出力端部に連結されている。レール２０が上記１６上に、かつ、ガイドネジ１７の両側に設けられている。レール２０に適合するように構成されたスライドブロック１９は、感光プラットフォーム２４が基部１６に対して縦方向に移動できる様態で、感光プラットフォーム２４の底部の対応する位置に設けられている。給紙部および排紙機構部が、感光プラットフォーム２４の両端部に横方向に設けられている。この給紙部は箱状部９を備えている。用紙カッターが箱状部９の出口に設けられている。露光用ヘッド１が、梁部８を介して前部壁板４３および後部壁板２５の上方に、かつ、感光プラットフォーム２４の上方に吊るされている。
【００２３】
露光用ヘッド１は、鉛直基板、画像ソースを表示するためのＬＣＤ表示装置（ＬＣＤ表示装置の表示面は、基板に水平に取り付けられた固定用ボードに下向きに埋め込まれている）、ＬＣＤ表示装置の上方で固定用ボードに取り付けられた光源装置、および、ＬＣＤ表示装置の下に位置するレンズ（このレンズは、上記基板にスライド装置を介してスライド可能に、かつ、水平に取り付けられたレンズ固定用ボードに埋め込まれており、このスライド装置はガイドネジ移動ユニットまたは連鎖伝動機構（chain transmission）であってもよい）を備えている。
【００２４】
縦方向移動機構部が梁部８上に設けられている。この縦方向移動機構部は梁部８に取り付けられたガイドネジ４を備え、電気モータ３１によって制御される。ガイドネジ４に適合するように構成されたスライドブロックが、露光用ヘッド１の基板に取り付けられている。レール３がガイドネジ４の両側に設けられている。移動ユニットによって、露光用ヘッド１は、梁部８上を感光プラットフォーム２４に対して縦方向に移動する。
【００２５】
一方で梁部８は、横方向移動機構部を介して前部壁板４３および後部壁板２５に取り付けられている。この横方向移動機構部は、それぞれ前部壁板４３および後部壁板２５に設けられた２つのレール２９を備え、梁部８の両端部がこのレール２９に挿入される。ガイドネジ基部２３を取り付けるための支持ボード３８が、前部壁板４３および後部壁板２５上にそれぞれ設けられている。ガイドネジ２６が、２つの対向するガイドネジ基部２３にそれぞれ取り付けられている。駆動輪６および被駆動輪４０が、それぞれ対応する２つのガイドネジ２６の１つの端部に設けられ、供給ベルト３９によって互いに連結されている。この駆動輪６は、後部壁板２５に取り付けられた電気モータ７の出力端部に連結されている。スライドブロック２８が、駆動輪６および被駆動輪４０に連結された２つのガイドネジ２６にそれぞれ取り付けられている。スライドブロック２８は、電気モータ７が梁部８を駆動して、露光用ヘッド１を感光プラットフォーム２４に沿って横方向に移動させられる様態で、梁部８の両端部に固定して連結されている。
【００２６】
吸引装置が、筐体状構造物を有する感光プラットフォーム２４を備えている。なお、感光プラットフォーム２４の上面には、感光材およびグレーティングを支持するために複数の吸引孔が設けられている。さらに、パイプ４２を介して排気装置３３に連結するための３つの排気口３４が、感光プラットフォーム２４の側部に設けられている。排気装置３３は、フレーム３６を介して基部１６に取り付けられている。好ましくは、上記パイプは屈曲性を有していてもよい。使用時には、感光層が上側となるように、感光プラットフォーム２４上を感光材で覆い、排気装置３３は、感光プラットフォーム２４の内部の空気を排気口３４を介して排気し、陰圧を生じさせる。また、上記感光材は、その上にかかる大気圧によって上記上面にしっかりと付着し、露光時に移動することがない。
【００２７】
上側圧縮機構部が、上記グレーティングおよび感光材を圧縮するために、感光プラットフォーム２４の上方に設けられている。この上側圧縮機構部は、２つの圧縮バーを備えている。各圧縮バーには、少なくとも１つのバネ装置が取り付けられている。各バネ装置の第１の端部は感光プラットフォーム２４に取り付けられ、第２の端部は圧縮バーを垂直に通過して、圧縮バーの上面に取り付けられている。バネ装置によって、圧縮バーは、感光プラットフォーム２４に対して上下運動する。
【００２８】
感光プラットフォーム２４の上方に、遮光箱４１が設けられている。この遮光箱４１の底部、かつ、露光用ヘッド１の下に、補助上側圧縮機構部が設けられている。遮光箱４１の横断面のサイズは、投影および感光ごとの画像のサイズに等しい。遮光箱４１の下には、フレーム状構造物が設けられている。好適な実施形態によれば、複数の空気圧ペン（pneumatic pen）が、上記補助上側圧縮機構部として、フレーム状構造物に垂直に取り付けられている。
【００２９】
好ましくは、上記排紙機構部は、
供給ベルト１４に連結された複数の第１の供給ローラ１５を備え、上記感光プラットフォーム２４の左下の角部に位置する、上記感光材を裏返すための第１の供給機構部４６であって、この第１の供給ローラ１５が感光プラットフォーム２４に沿って縦方向に配置され、第１の供給ローラ１５が供給ベルト１２を介して電気モータ２１の出力端部に連結された第１の主供給ローラ１３を備えている、第１の供給機構部４６と、
第１の供給ローラ１５に平行であり、かつ、供給ベルト１４’に連結された複数の第２の供給ローラ１５’を備え、第１の供給機構部４６の第１の端部に隣接し、感光プラットフォーム２４の下に位置する第２の供給機構部４５であって、第２の主供給ローラ１３’が供給ベルト１２’を介して電気モータ１１の出力端部に連結されている、第２の供給機構部４５と、
第１の供給ローラ１５に平行であり、かつ、供給ベルト１４”に連結された複数の第３の供給ローラ１５”を備え、第１の供給機構部４６の第２の端部に隣接する第３の供給機構部４７であって、第３の主供給ローラ１３”が供給ベルト１２”を介して電気モータ２２の出力端部に連結されている、第３の供給機構部４７とを備えている。
【００３０】
好ましくは、供給ベルト１４および１４’は、電気モータ２１および１２を制御することによって前向きおよび後向きに回転可能である。
【００３１】
好ましくは、上記プラットフォーム移動機構部、縦方向移動機構部、横方向移動機構部、給紙部、および、排紙機構部は、コンピュータによって制御可能である。
【００３２】
投影および感光されることが必要な単一領域を例にあげて、本発明に係るデジタル式立体投影法の原理を以下において説明する。
【００３３】
最初に、より明瞭に説明するために、使用する３つの写真をここで説明する。第１の写真は、対象物の正面に配置したカメラで撮影されるものであり、第２の写真は、対象物の正面から対象物を中心にして左に５°回転移動した後にカメラで撮影されるものであり、第３の写真は、対象物の正面から対象物を中心にして右に５°回転移動した後にカメラで撮影されるものである。
【００３４】
また、左方向または右方向は、対象物の正面を基準にする。
【００３５】
ステップＳ１：  第１の写真をＬＣＤ表示装置を用いて表示する。なお、光源装置によって照射された３色の光が、光混合箱によって混合された後にＬＣＤ表示装置を介してレンズに到達する際に、レンズはＬＣＤ表示装置の真下に位置している。また、ＬＣＤ表示装置上の第１の写真は、レンズおよびグレーティングを介して感光材上で投影および増感を行うために処理に供され、１回目の投影および増感を終える。
【００３６】
ステップＳ２：  コンピュータによって第２の写真に切り替え、光源装置を静止状態に保持し、電気モータでレンズを駆動して、左方向かつ水平方向へある距離だけ移動させる。なお、レンズを介して照射された光が感光材の領域全体を再度カバーするまで、感光プラットフォーム２４は、レンズが移動する方向に同期して移動する。
【００３７】
ステップＳ３：  感光材に対して２回目の投影および増感を実行する（ステップＳ１に同じ）。
【００３８】
ステップＳ４：  コンピュータによって第３の写真に切り替え、電気モータでレンズを駆動して、右方向かつ水平方向へある距離だけ移動させる。なお、レンズを介して照射された光が感光材の領域全体を再度カバーするまで、感光プラットフォーム２４は、レンズが移動する方向に同期して移動する。
【００３９】
ステップＳ５：  感光材に対して３回目の投影および増感を実行する（ステップＳ１に同じ）。
【００４０】
ステップＳ６：  感光材を現像する。
【００４１】
デジタル式立体合成写真投影像形成のための方法について、以下に記載する。
【００４２】
最初に、対応するサイズのグレーティング材を感光プラットフォーム２４上に載置する。給紙部は、用紙カッターを通過した後に、箱状部９の内部の感光材を感光プラットフォーム２４とグレーティング材との間に供給する。感光材は押圧部によって検知プラットフォーム２４に付着し、グレーティング材は上側圧縮機構部によって感光材上で圧縮される。
【００４３】
２番目に、図１、図４、および、図５に示すように、感光プラットフォーム２４は、感光されることが必要な９つの領域Ａ〜Ｉに分割されている。電気モータ３１はガイドネジ４を回転駆動して、露光用ヘッド１を感光材の領域Ａの上方にまで移動させる。露光用ヘッド１のＬＣＤ表示装置の画像は、感光した後に切り替えられる。その一方、電気モータ３１はガイドネジ４を回転駆動して、露光用ヘッド１を感光材の領域Ｂの上方にまで（Ｙ方向に）移動させ、投影および感光を再度実行する。同様に、露光用ヘッド１は、感光材の領域Ｃの上方にまで移動させられる。露光用ヘッド１を感光材の領域Ｃから領域Ｄの上方にまで移動させることが必要な場合、電気モータ７は駆動輪７および被駆動輪４０を回転駆動して、２つのガイドネジ２６を回転させる。ガイドネジ２６に載っているスライドブロック２８は、ガイドネジ２６によって移動し、梁部８は平行（Ｘ方向）に移動する。その結果、梁部８上に取り付けられた露光用ヘッド１（Ｙ方向）は、感光材の領域Ｄの上方にまで（Ｘ方向に）移動できる。同様に、露光用ヘッド１は、感光材の領域Ｅまたは領域Ｆの上方にまで（Ｙ方向に）移動する。その結果、感光材のすべての領域に対して投影および感光が実行され、立体写真の画像の投影および感光のプロセスが完了する。
【００４４】
３番目に、露光用ヘッド１の内部のレンズの角度をＬＣＤ表示装置に対して調節し、感光プラットフォームを同期して移動させることによって、同じ領域に投影する視点が異なる写真で領域がカバーでき、２回目の投影および感光が実行できる。２回目の投影および感光のプロセスは、１回目の投影および感光などと同じである。投影および感光の回数は、立体カメラで撮影した視点が異なる画像の枚数に等しい（投影および感光を１回実行するたびに、領域Ａ〜領域Ｉはすべてカバーされる）。例えば、５次元の写真が５つの画像を有し、かつ、各画像の投影および感光を９回に分割する場合、投影および感光を４５回実行し、露光用ヘッドの内部のレンズの角度をＬＣＤ表示装置に対して５回移動させ、感光プラットフォーム２４を同じ方向に５回移動させ、投影および感光を５セット実行する必要がある。
【００４５】
投影および感光を終えた後に、押圧部は解放されてグレーティング材を排出し、電気モータ３５は感光をした後の感光材を第１の供給機構部４６に供給する。この第１の供給機構部４６は、電気モータ２１によって供給ベルト１２を回転させ、その結果、感光材を第２の供給機構部４５に供給できる様態で、第１の供給機構部４６の第１の主供給ローラ１３、供給ベルト１４、および、第１の供給ローラ１５を回転させる。また、電気モータ１１は供給ベルト１２’を回転させ、その結果、第２の供給機構部４５の第２の主供給ローラ１３’、供給ベルト１４’、および、第２の供給ローラ１５’を回転させる。感光材が第２の供給機構部４５に完全に供給されると、電気モータ１２および２１の回転方向を逆転させることによって、感光材は第１の供給機構部４６に再度供給され、感光材はその特性に応じて第３の供給機構部４７に供給される。さらに、電気モータ２２は供給ベルト１２”を回転させ、その結果、第３の供給機構部４７の第３の主供給ローラ１３”、供給ベルト１４”、および、第３の供給ローラ１５”を回転させる。こうすることによって、感光材は現像装置に供給されて、供給プロセスが完了する。
【００４６】
当業者であれば、図面に示し、上記において記載した本発明の実施形態は一例にすぎず、なんらの限定を加えるものではないことが理解できよう。
【００４７】
したがって、本発明の目的が完全に、かつ、効果的に達成されたことが分かるであろう。本発明の実施形態は、本発明の機能的および構造的な原理を説明することを目的として図示および記載のであって、このような原理から逸脱することなく変更を加えることができる。したがって、本発明は、本発明の精神と次に記載する特許請求事項との範囲内で、種々変更して実施することができるものである。
【図１】
0005624992.tif 000002
【図２】
0005624992.tif 000003
【図３】
0005624992.tif 000004
【図４】
0005624992.tif 000005
【図５】
0005624992.tif 000006